(57)【要約】【課題】電源の電池の容量低下後、画面のチラつきを抑制し、表示品位を低下させることなく、装置の動作を正常終了させることが可能な画像記録装置を提供することを目的とする。【解決手段】被写体を撮影記録する撮影手段と、記録された被写体画像を表示する液晶表示部、及びバックライトを備える画像表示手段と、電池を電源とする電源供給手段と、前記電池の容量を電池電圧に基づき判定する判定手段と、前記バックライトの電圧変化を検知する検知手段と、を少なくとも備えた画像記録装置であり、撮影動作中に、（１）前記判定手段により電池電圧が基準閾値以下と判定されたとき、又は（２）前記判定手段により電池電圧が基準閾値に近づいたと判定され、かつ前記検知手段により前記バックライトの電圧が所定の閾値以下として検知されたとき、画像記録装置の終了動作を開始させる制御手段を備える画像記録装置を提供する。【選択図】図９
2010056623.tif 000002
【特許請求の範囲】
【請求項１】
被写体を撮影記録する撮影手段と、記録された被写体画像を表示する液晶表示部、及びバックライトを備える画像表示手段と、電池を電源とする電源供給手段と、前記電池の容量を電池電圧に基づき判定する判定手段と、前記バックライトの電圧変化を検知する検知手段と、を少なくとも備えた画像記録装置であり、
撮影動作中に、（１）前記判定手段により電池電圧が基準閾値以下と判定されたとき、又は（２）前記判定手段により電池電圧が基準閾値に近づいたと判定され、かつ前記検知手段により前記バックライトの電圧が所定の閾値以下として検知されたとき、
画像記録装置の終了動作を開始させる制御手段を備えることを特徴とする画像記録装置。
【請求項２】
前記制御手段が、画像記録装置の終了動作を開始させるとともに、前記バックライトに供給する電流値を制御して前記液晶表示部の輝度を低下させることを特徴とする請求項１に記載の画像記録装置。
【請求項３】
前記制御手段が、前記バックライトへ供給する電流値を一定の割合で低下させることを特徴とする請求項２に記載の画像記録装置。
【請求項４】
前記制御手段が、前記バックライトへ供給する電流値を一定値に低下させることを特徴とする請求項２に記載の画像記録装置。
【請求項５】
前記制御手段が、前記撮影手段の焦点距離に応じて、前記バックライトに供給する電流値を制御することを特徴とする請求項２から３のいずれかに記載の画像記録装置。
【請求項６】
前記制御手段が、前記撮影手段のフォーカス位置に応じて、前記バックライトに供給する電流値を制御することを特徴とする請求項２から３のいずれかに記載の画像記録装置。
【請求項７】
外部からの指示により設定された前記液晶表示部の輝度に応じて、前記検知手段により検知される前記バックライトの電圧の閾値を設定することを特徴とする請求項１から６のいずれかに記載の画像記録装置。
【請求項８】
外部からの指示により設定された前記液晶表示部の輝度に応じて、前記バックライトに供給する電流値を制御することを特徴とする請求項２から６のいずれかに記載の画像記録装置。
【請求項９】
外部から電源オフの操作があったとき、前記制御手段が、画像記録装置の終了動作を開始させるとともに、前記バックライトに供給する電流値を制御して前記液晶表示部の輝度を低下させることを特徴とする請求項２から６のいずれかに記載の画像記録装置。
【請求項１０】
前記電源供給手段としての電池の種類に応じて、前記検知手段により検知される前記バックライトの電圧の閾値を変化させることを特徴とする請求項１から９のいずれかに記載の画像記録装置。
【発明の詳細な説明】
【技術分野】
【０００１】
本発明は、画像記録装置に関し、特に、画像表示手段を備えた画像記録装置に関する。
【背景技術】
【０００２】
被写体の撮影・再生機能を備えたデジタルカメラ等の画像記録装置は、近年は携帯に便利なように小型化され、電源としては主に電池が使用されている。画像記録装置に搭載されている表示装置としては、バックライトが液晶表示部を照明することにより液晶表示部に表示された画像を可視化する透過型の液晶表示装置などが知られている。
【０００３】
撮影操作が行われた後、画像処理及び画像記録処理の動作や、画像を表示するために必要な電力は、電源の電池から供給されるが、小型化の要求から電池容量が限られるという問題がある。このため、電池容量が被写体の撮影動作に必要な最低電力に近い値まで減少すると、何らかの警報やサインを発して電池交換や充電を指令する機能や、また、最低電力を下回ると撮影動作を禁止するような機能を備えた装置が使用されている。
特に、バックライト点灯に必要な電力は、電池寿命に最も影響を与える要素の一つであり、常時点灯してしまうと電池寿命が著しく短くなってしまうという問題がある。
【０００４】
これらの問題のうち、記録動作中の電源供給停止を回避する方法として、電池電圧を監視して、電池容量の残量低下時であっても可能な限り記録動作を行いうるデータ記録装置（特許文献１参照）が提案されている。
【０００５】
また、バックライトへの電力供給を制限して電池の寿命を延ばす方法が知られているが、バックライトに供給する電力を低下させることにより、画質の低下や操作性が悪化するという問題がある。これに対し、液晶表示部の画像信号のゲインを大きくなるように制御して輝度低下を防ぐ方法が提案されている（参考文献２参照）。
【０００６】
【特許文献１】特開平１１−１１９２９３号公報
【特許文献２】特開２００６−２０１３９９号公報
【発明の開示】
【発明が解決しようとする課題】
【０００７】
一方、電池残量が必要最低電力に近くなり終了動作に入ったときや、電池残量低下時にモータ等のメカ動作による負荷が生じた際、液晶表示部の画面全体にチラつきが生じ、終了状態がわかりにくくなるという問題や、高負荷動作の重なりから電源が意図せずにおちてしまうという問題がある。
【０００８】
画面にチラつきが生じるのは、電池の電圧が低下している際、最も電圧の高いバックライトの電圧を電源ＩＣから作り出す時、メカ動作の消費電力ピーク時に一時的に効率が低下して、バックライト電圧が維持できなくなり、バックライト電圧がオン／オフするためである。これによりユーザが不快に感じる表示品位の低下を招く。
【０００９】
この問題に対し、電池容量低下を検知する閾値電圧を高くすることにより、終了動作を速やかに開始すること方法が考えられるが、電池容量に余裕がある状態で終了動作が開始されるため、デジタルカメラでは、撮影可能枚数が減少してしまうという問題がある。
【００１０】
撮影可能枚数を減少させることなく、バックライトに供給される電力、モータ負荷を軽減するなどして、前記液晶表示部（以下、「画面」、「ＬＣＤモニタ」ということがある）のチラつきを抑制して、動作途中で電源供給が停止されることなく、速やかにカメラの正常終了動作を完了させる必要がある。
【００１１】
そこで、本発明は、以上の従来技術における問題に鑑みてなされたものであり、電源の電池の容量低下後、画面のチラつきを抑制し、表示品位を低下させることなく、装置の動作を正常終了させることが可能な画像記録装置を提供することを目的とする。
【課題を解決するための手段】
【００１２】
前記課題を解決するために提供する本発明は、以下の通りである。
〔１〕  被写体を撮影記録する撮影手段と、記録された被写体画像を表示する液晶表示部、及びバックライトを備える画像表示手段と、電池を電源とする電源供給手段と、前記電池の容量を電池電圧に基づき判定する判定手段と、前記バックライトの電圧変化を検知する検知手段と、を少なくとも備えた画像記録装置であり、
撮影動作中に、（１）前記判定手段により電池電圧が基準閾値以下と判定されたとき、又は（２）前記判定手段により電池電圧が基準閾値に近づいたと判定され、かつ前記検知手段により前記バックライトの電圧が所定の閾値以下として検知されたとき、
画像記録装置の終了動作を開始させる制御手段を備えることを特徴とする画像記録装置。
〔２〕  前記制御手段が、画像記録装置の終了動作を開始させるとともに、前記バックライトに供給する電流値を制御して前記液晶表示部の輝度を低下させることを特徴とする前記〔１〕に記載の画像記録装置。
〔３〕  前記制御手段が、前記バックライトへ供給する電流値を一定の割合で低下させることを特徴とする前記〔２〕に記載の画像記録装置。
〔４〕  前記制御手段が、前記バックライトへ供給する電流値を一定値に低下させることを特徴とする前記〔２〕に記載の画像記録装置。
〔５〕  前記制御手段が、前記撮影手段の焦点距離に応じて、前記バックライトに供給する電流値を制御することを特徴とする前記〔２〕から〔３〕のいずれかに記載の。
〔６〕  前記制御手段が、前記撮影手段のフォーカス位置に応じて、前記バックライトに供給する電流値を制御することを特徴とする前記〔２〕から〔３〕のいずれかに記載の画像記録装置。
〔７〕  外部からの指示により設定された前記液晶表示部の輝度に応じて、前記検知手段により検知される前記バックライトの電圧の閾値を設定することを特徴とする前記〔１〕から〔６〕のいずれかに記載の画像記録装置。
〔８〕  外部からの指示により設定された前記液晶表示部の輝度に応じて、前記バックライトに供給する電流値を制御することを特徴とする前記〔２〕から〔６〕のいずれかに記載の画像記録装置。
〔９〕  外部から電源オフの操作があったとき、前記制御手段が、画像記録装置の終了動作を開始させるとともに、前記バックライトに供給する電流値を制御して前記液晶表示部の輝度を低下させることを特徴とする前記〔２〕から〔６〕のいずれかに記載の画像記録装置。
〔１０〕  前記電源供給手段としての電池の種類に応じて、前記検知手段により検知される前記バックライトの電圧の閾値を変化させることを特徴とする前記〔１〕から〔９〕のいずれかに記載の画像記録装置。
【発明の効果】
【００１３】
本発明によれば、電源の電池の容量低下後、画面のチラつきを抑制し、表示品位を低下させることなく、装置の動作を正常終了させることが可能な画像記録装置を提供することができる。
【００１４】
本発明の効果として、請求項１の発明によれば、被写体を撮影記録する撮影手段と、記録された被写体画像を表示する液晶表示部、及びバックライトを備える画像表示手段と、電池を電源とする電源供給手段と、前記電池の容量を電池電圧に基づき判定する判定手段と、前記バックライトの電圧変化を検知する検知手段と、を少なくとも備えた画像記録装置であり、
撮影動作中に、（１）前記判定手段により電池電圧が基準閾値以下と判定されたとき、又は（２）前記判定手段により電池電圧が基準閾値に近づいたと判定され、かつ前記検知手段により前記バックライトの電圧が所定の閾値以下として検知されたとき、
画像記録装置の終了動作を開始させる制御手段を備える画像記録装置としたので、電源の電池の容量低下後、前記液晶表示部（画面）の表示品位を低下させることなく、正常に終了動作を行うことができる。
請求項２の発明によれば、請求項１に記載の画像記録装置において、前記制御手段が、画像記録装置の終了動作を開始させるとともに、前記バックライトに供給する電流値を制御して前記液晶表示部の輝度を低下させるという構成としたので、前記液晶表示部のチラつきを抑制し、表示品位を低下させることなく、正常に終了動作を行うことができる。
請求項３の発明によれば、請求項２に記載の画像記録装置において、前記制御手段が、前記バックライトへ供給する電流値を一定の割合で低下させるという構成としたので、負荷が低くなり、バックライト電圧値を低下させずに正常に終了動作を行うことができる。
請求項４の発明によれば、請求項２に記載の画像記録装置において、前記制御手段が、前記バックライトへ供給する電流値を一定値に低下させるという構成としたので、表示品位を低下させることなく、ユーザに不快感を与えることがない。
請求項５の発明によれば、請求項２から３のいずれかに記載の画像記録装置において、前記制御手段が、前記撮影手段の焦点距離に応じて、前記バックライトに供給する電流値を制御するという構成としたので、焦点距離によって異なるモータ等のメカ部の駆動時間や繰り出し長さに応じて、バックライト電流値を低下させるレベルや時間を制御し、画面のチラつきをより確実に抑制することができる。
請求項６の発明によれば、請求項２から３のいずれかに記載の画像記録装置において、前記制御手段が、前記撮影手段のフォーカス位置に応じて、前記バックライトに供給する電流値を制御するという構成としたので、フォーカス時間が長くなるほどフォーカスモータの収納時の移動量が増大し、チラつきが発生しやすくなることから、フォーカス位置に応じてバックライト電流値を低下させる割合を変化させ、画面のチラつきを抑制して正常に終了動作を行うことができる。
請求項７の発明によれば、請求項１から６のいずれかに記載の画像記録装置において、外部からの指示により設定された前記液晶表示部の輝度に応じて、前記検知手段により検知される前記バックライトの電圧の閾値を設定するという構成としたので、チラつきの検出基準となるバックライト電圧閾値を変化させることにより、画面のチラつきをより確実に抑制して正常に終了動作を行うことができる。
請求項８の発明によれば、請求項２から６のいずれかに記載の画像記録装置において、外部からの指示により設定された前記液晶表示部の輝度に応じて、前記バックライトに供給する電流値を制御するという構成としたので、輝度に応じてバックライト電流値を低下させるレベルと時間を変化させることにより、画面のチラつきをより確実に抑制して正常に終了動作を行うことができる。
請求項９の発明によれば、請求項２から６のいずれかに記載の画像記録装置において、外部から電源オフの操作があったとき、前記制御手段が、画像記録装置の終了動作を開始させるとともに、前記バックライトに供給する電流値を制御して前記液晶表示部の輝度を低下させるという構成としたので、電池容量に余裕がある状態で電源オフの動作を行う場合においても、画面のチラつきが抑制される。
請求項１０の発明によれば、請求項１から９のいずれかに記載の画像記録装置において、前記電源供給手段としての電池の種類に応じて、前記検知手段により検知される前記バックライトの電圧の閾値を変化させるという構成としたので、電流増加に弱い１次電池が入力の場合は２次電池が入力の場合よりもバックライト電流値を急激に低下させるなどして正常に終了動作を行うことができる。
【発明を実施するための最良の形態】
【００１５】
以下に、本発明の画像記録装置の一実施の形態における構成について図面を参照して説明する。
図１、図２、及び図３は、本発明の一実施の形態例に係る画像記録装置の一例のデジタルカメラの外観図であり、それぞれ図１は上面図、図２は正面図、図３は背面図である。図４は、本発明の一実施の形態例に係る画像記録装置の一例のブロック図である。
【００１６】
ＣＣＤ（１０１）は、光学画像を光電変換するための固体撮像素子であり、Ｆ／Ｅ（フロントエンド）−ＩＣ（１０２）は、画像ノイズ除去用相関二重サンプリングを行うＣＤＳ（１０２−１）、利得調整を行うＡＧＣ（１０２−２）、ディジタル信号変換を行うＡ／Ｄ（１０２−３）、ＣＣＤ１制御ブロック（１０４−１）より、垂直同期信号、水平同期信号を供給され、ＣＰＵブロック（１０４−３）によって制御されるＣＣＤ（１０１）、及びＦ／Ｅ−ＩＣ（１０２）の駆動タイミング信号を発生するＴＧ（１０２−４）を有する。
【００１７】
鏡胴ユニット（６）は、被写体の光学画像を取り込むズームレンズ（６−１ａ）、ズーム駆動モータ（６−１ｂ）からなるズーム光学系（６−１）、フォーカスレンズ（６−２ａ）、フォーカス駆動モータ（６−２ｂ）からなるフォーカス光学系（６−２）、絞り（６−３ａ）、絞りモータ（６−３ｂ）からなる絞りユニット（６−３）、メカシャッタ（６−４ａ）、メカシャッタモータ（６−４ｂ）からなるメカシャッタユニット（６−４）、各モータを駆動するモータドライバ（６−５）を有する。
【００１８】
ディジタルスチルカメラプロセッサ（１０４）は、ＣＣＤ（１０１）よりＦ／Ｅ―ＩＣ（１０２）の出力データにホワイトバランス設定やガンマ設定を行い、又、前述したように、垂直同期信号、水平同期信号を供給するＣＣＤ１制御ブロック（１０４−１）、フィルタリング処理により、輝度データ・色差データへの変換を行うＣＣＤ２制御ブロック（１０４−２）、前述した装置各部の動作を制御するＣＰＵブロック（１０４−３）、前述した制御に必要なデータ等を、一時的に、保存するＬｏｃａｌ  ＳＲＡＭ（１０４−４）、パソコンなどの外部機器とＵＳＢ通信を行うＵＳＢブロック（１０４−５）、パソコンなどの外部機器とシリアル通信を行うシリアルブロック（１０４−６）、ＪＰＥＧ圧縮・伸張を行うＪＰＥＧ  ＣＯＤＥＣブロック（１０４−７）、画像データのサイズを補間処理により拡大／縮小するＲＥＳＩＺＥブロック（１０４−８）、画像データを液晶モニタやＴＶなどの外部表示機器に表示するためのビデオ信号に変換するＴＶ信号表示ブロック（１０４−９）、撮影された画像データを記録するメモリカードの制御を行うメモリカードブロック（１０４−１０）を有する。
【００１９】
ＳＤＲＡＭ（１０３）は、前述したディジタルスチルカメラプロセッサ（１０４）で画像データに各種処理を施す際に、画像データを一時的に保存する。保存される画像データは、例えば、ＣＣＤ（１０１）から、Ｆ／Ｅ−ＩＣ（１０２）を経由して取りこんで、ＣＣＤ１信号処理ブロック（１０４−１）でホワイトバランス設定、ガンマ設定が行われた状態の「ＲＡＷ−ＲＧＢ画像データ」やＣＣＤ２制御ブロック（１０４−２）で輝度データ・色差データ変換が行われた状態の「ＹＵＶ画像データ」、ＪＰＥＧ  ＣＯＤＥＣブロック（１０４−７）で、ＪＰＥＧ圧縮された「ＪＰＥＧ画像データ」などである。
【００２０】
内蔵メモリ（１０７）は、撮影した画像データを記憶できるようにするためのメモリである。
ＬＣＤドライバ（１０８）は、ＬＣＤモニタ（５０）に駆動するドライブ回路であり、ＴＶ信号表示ブロック（１０４−９）から出力されたビデオ信号を、ＬＣＤモニタ（５０）に表示するための信号に変換する機能も有している。ＬＣＤモニタ（５０）は、撮影前に被写体の状態を監視する、撮影した画像を確認する、メモリカードや前述した内臓メモリ（１０７）に記録した画像データを表示する、などを行うためのモニタである。ビデオＡＭＰ（１１８）は、ＴＶ信号表示ブロック（１０４−９）から出力されたビデオ信号を、７５Ωインピーダンス変換するためのアンプであり、ビデオジャック（１１９）は、ＴＶなどの外部表示機器と接続するためのジャックである。操作Ｋｅｙユニット（ＳＷ１〜１５）は、ユーザが操作するＫｅｙ回路であり、ＳＵＢ−ＣＰＵ（１０５）は、ＲＯＭ・ＲＡＭをワンチップに内蔵したＣＰＵであり、操作Ｋｅｙユニット（ＳＷ１〜１５）などの出力信号をユーザの操作情報として、前述したＣＰＵブロック（１０４−３）に出力する。
【００２１】
電源ユニット（１２５）は、電池や商用電源などから、昇圧、降圧を行い、各ユニットにあった電圧に変換し、電力を供給する。
本発明の一実施の形態においては、電源として電池が挙げられ、小型化された電池が好ましい。また、複数種の電池から選択された電池を電源とすることが好ましく、一次電池としては、例えば、アルカリ電池等が挙げられ、二次電池としては、例えば、ニッケル水素電池や、リチウムイオン電池等が挙げられる。
【００２２】
本発明の画像記録装置の終了動作のフローの一例を、図５及び図６に示す。
図５は、記録動作中に、判定手段により電池電圧が基準閾値以下と判定されたときに制御手段が画像記録装置の終了動作を開始させ、前記バックライトに供給する電流値を制御して前記液晶表示部の輝度を低下させるフローであり、図６は、判定手段により電池電圧が基準閾値に近づいたと判定され、かつ前記検知手段により前記バックライトの電圧が所定の閾値以下として検知されたとき、制御手段が画像記録装置の終了動作を開始させ、前記バックライトに供給する電流値を制御して前記液晶表示部の輝度を低下させるフローである。
【００２３】
図５のフローによれば、電池容量が低下して終了動作に入った際に画面全体が暗くなったり明るくなったりするというチラつき現象を抑制するために、バックライト電流を下げて表示画面の輝度を下げる。これにより、画面表示がチラつきを抑制しながら電池容量を使い切り、正常に終了動作を行っていることをユーザに不快無くしらせることが出来る。このときのバックライト電圧と電流の変化を図８に示す。
図６のフローによれば、電池電圧が所定の基準閾値以下（電池ＥＮＤ付近）で、図７に示すようにフォーカスモータや、ズームモータ等のメカ部が動作した時等に、高い負荷から、最も電圧の高いＬＣＤモニタのバックライト電圧が影響を受けて、電圧が低下することにより画面のチラつきが発生する現象をバックライト電圧の閾値より低下したことから検知し、その時点で終了動作に入る。バックライト電圧の負荷を軽くするために、チラついたところから徐々にバックライト電流を下げて、終了動作を行ってもよい。このときのバックライト電圧と電流の変化を図９に示す。
【００２４】
図８及び図９に示すように、制御手段は、バックライトへ供給する電流値を一定の割合で低下させてもよく、一定値に低下させてもよい。
バックライトへ供給する電流値を一定の割合でリニアに低下させることにより、ユーザの画面表示の見づらさを回避することができ、一定値の低下させることにより、バックライト電圧を低下させることなく、終了動作を完了させることができる。
【００２５】
図１０及び図１１に、画面（ＬＣＤモニタ）の表示の様子を模式的に示す。それぞれ（Ａ）はチラつきが生じている状態、（Ｂ）はチラつきのない正常な表示状態、（Ｃ）はバックライト電流値を制御してチラつきを改善した状態をそれぞれ示している。
図１０（Ａ）には、バックライトが点滅して画面全体が明るくなったり暗くなったりするチラつきが生じており、電池ＥＮＤマークの表示もユーザに見づらい状態となっている様子を示している。これに対し、図１０（Ｃ）には、バックライトへ供給する電流値を制御し、画面全体の輝度をデフォルトの輝度よりも低くし、さらに電源オフまで徐々に暗くしていくことで表示の見づらさが回避されている様子を示している。なお、電池ＥＮＤマークなどは、輝度の低下と共に既存の表示色から徐々にコントラスト比の高い複数の表示色としてもよい。
図１１（Ａ）には、チラつきが生じている様子を、図１１（Ｃ）には、チラつき検知後に電池ＥＮＤマークを表示させて、終了動作を開始する様子を示している。
【００２６】
図５及び図６のフローに示すとおり、バックライトに供給する電流制御にあたり、例えば、焦点距離の検出、フォーカス位置、外部入力（例えばユーザの指示）により指定された表示画面の輝度を検出してから電流の制御を行うことが好ましい。
【００２７】
図１２に示すように、焦点距離によって、メカ部の繰り出し長さが異なることから、負荷が大きなモータを避けるようにリニアにバックライト電流を下げる時間と電流を下げるレベルを変化させることでバックライト電圧が低下してチラつくことを防ぐことができる。
焦点距離を検出することにより、焦点距離によって異なるモータ等のメカ部の駆動時間や繰り出し長さに応じて、バックライト電流値を低下させるレベルや時間を制御し、画面のチラつきをより確実に抑制することができる。
フォーカス位置を検出することにより、フォーカス時間が長くなるほどフォーカスモータの収納時の移動量が増大し、チラつきが発生しやすくなることから、フォーカス位置に応じてバックライト電流値を低下させる割合を変化させ、画面のチラつきを抑制して正常に終了動作を行うことができる。
なお、焦点距離が長いほど一部モータの駆動時間が長いため、該当モータの動作前にバックライト電流を消灯してもよい。
【００２８】
また、ユーザなどにより外部から指定された輝度を検出することにより、チラつきの検出基準となるバックライト電圧閾値や、バックライト電流値を低下させるレベルと時間を変化させることができ、それにより画面のチラつきを抑制して正常に終了動作を行うことができる。
図１３及び図１４に示すように、ユーザが設定するバックライト輝度がデフォルト輝度より高い場合、流れるバックライト電流は、通常より大きく電源に対する負荷が高いため、よりチラつきを軽減するためバックライト電流を下げるレベルと時間をデフォルト状態よりも大きく短くしてもよい。また低い輝度（バックライト輝度が低い）場合は、その電流レベルより徐々に下げていく割合を長くしてもよい。また、輝度レベルによっては可変させなくてもよい。
【００２９】
さらに、入力が一次電池の場合と、ニ次電池の場合とで、バックライトの電圧閾値を変化させてもよい。一次電池は突発的な電力増加に弱く電源が落ちやすいため、ニ次電池と比べ、バックライト電圧の検知後にバックライトを消灯したり、二次電池と比べて急激に落としたりすることで正常終了できるようにする。
【００３０】
また、電池ＥＮＤの前の段階（電池寿命に達する前の電池レベル、例えば、ＥＮＤレベル電圧に対して＋０．２Ｖなど）において、ユーザが電源オフの指示をした場合でも、チラつきを防ぐために上記のようにバックライト電流を徐々に下げる方法をとってもよい。
外部から電源オフの操作があったとき、前記制御手段が、画像記録装置の終了動作を開始させるとともに、バックライトに供給する電流値を制御して前記液晶表示部の輝度を低下させることが好ましい。
【００３１】
本発明により、電池容量低下時に、表示品位を著しく低下させることなく正常終了できると共に、ハード部の変更がない（部品変更、検討）ため、コストの面で有利である。
また、表示部の面積が増えて消費電力が上がった場合にも、ハードの変更を必要としない。
さらに、一次電池の場合は、よりチラつきが生じる可能性が高いため、バックライト電流を制御することにより突入電流のレベルが減り、電池寿命が減少することによる影響を回避することができる。ニ次電池と一次電池とで制御方法を変えることにより、より低電圧で動作する一次電池の場合のチラつきやすさの問題に対応することができる。
【００３２】
バックライトに供給する電流値を制御して、画面を徐々に暗くすることから、ユーザに電池容量が無くなりカメラ動作が終了し始めたことを視覚的な不快感を生じさせること無く知らせることができる。
さらに、繰り出している鏡胴の焦点距離によって、輝度の下げ方を変えることにより、画面のチラつきだけでなく、電源全体の負荷軽減が可能であり、負荷の大きいモータの動作などによりシステムリセットで停止するリスクを低減できるという効果もある。
【００３３】
以上のように、本発明の画像記録装置は、電池容量が減少した電池ＥＮＤ状態において、フォーカス動作やズーム動作に入った際に生じるチラつきを検知することにより、電池容量を無駄なく効率よく消費できるとともに、連続的なチラつきによる画面表示品位の低下を防ぐことが出来、速やかに正常終了動作に入ることができるようになる。
【００３４】
なお、これまで本発明を図面に示した実施形態をもって説明してきたが、本発明は図面に示した実施形態に限定されるものではなく、他の実施形態、追加、変更、削除など、当業者が想到することができる範囲内で変更することができ、いずれの態様においても本発明の作用・効果を奏する限り、本発明の範囲に含まれるものである。
【図面の簡単な説明】
【００３５】
【図１】本発明の一実施の形態例に係る画像記録装置の一例であるデジタルカメラの外観上面図である。
【図２】本発明の一実施の形態例に係る画像記録装置の一例であるデジタルカメラの外観正面図である。
【図３】本発明の一実施の形態例に係る画像記録装置の一例であるデジタルカメラの外観背面図である。
【図４】本発明の一実施の形態例に係る画像記録装置の一例であるデジタルカメラの構成を示すブロック図である。
【図５】本発明の一実施の形態例に係る画像記録装置の動作フローの一例である。
【図６】本発明の一実施の形態例に係る画像記録装置の動作フローのその他の例である。
【図７】メカ部が動作した時等に、バックライト電圧が影響を受けて電圧が低下することにより画面のチラつきが発生する原理を説明したグラフである。
【図８】図５の例におけるバックライト電圧と電流の変化を示すグラフである。
【図９】図６の例におけるバックライト電圧と電流の変化を示すグラフである。
【図１０】画面表示の様子を模式的に示した図であり、（Ａ）はチラつきが生じている状態、（Ｂ）はチラつきのない正常な表示状態、（Ｃ）はバックライト電流値を制御してチラつきを改善した状態をそれぞれ示している。
【図１１】画面表示の様子を模式的に示した図であり、（Ａ）はチラつきが生じている状態、（Ｂ）はチラつきのない正常な表示状態、（Ｃ）はバックライト電流値を制御してチラつきを改善した状態をそれぞれ示している。
【図１２】焦点距離の違いによるバックライト電流値を制御を示すグラフである。
【図１３】ユーザ設定輝度の違いによるバックライト電流値を制御を示すグラフである。
【図１４】ユーザ設定輝度の違いによるバックライト電流値を制御を示すグラフである。
【符号の説明】
【００３６】
３        ストロボ発光部
４        測距ユニット
６        鏡胴ユニット
３０      光学ファインダ
５０      ＬＣＤモニタ（画面、液晶表示部）
６０      電池蓋
ＳＷ１    レリーズスイッチ
ＳＷ２    モードダイヤル
ＳＷ３    ジョグダイヤル１
ＳＷ４    ジョグダイヤル２
ＳＷ５    ズームスイッチ[ＴＥＬＥ]
ＳＷ６    ズームスイッチ[ＷＩＤＥ]
ＳＷ７    上スイッチ
ＳＷ８    右スイッチ
ＳＷ９    ＯＫスイッチ
ＳＷ１０  左スイッチ
ＳＷ１１  下スイッチ／マクロスイッチ
ＳＷ１２  ＤＩＳＰＬＡＹスイッチ
ＳＷ１３  削除スイッチ
ＳＷ１４  ＭＥＮＵスイッチ
ＳＷ１５  電源スイッチ
【図１】
2010056623.tif 000003
【図２】
2010056623.tif 000004
【図３】
2010056623.tif 000005
【図４】
2010056623.tif 000006
【図５】
2010056623.tif 000007
【図６】
2010056623.tif 000008
【図７】
2010056623.tif 000009
【図８】
2010056623.tif 000010
【図９】
2010056623.tif 000011
【図１２】
2010056623.tif 000012
【図１３】
2010056623.tif 000013
【図１４】
2010056623.tif 000014
【図１０】
2010056623.tif 000015
【図１１】
2010056623.tif 000016